(57)【要約】      （修正有）【課題】通常得られるよりも大きく異なる同じ衣服のバージョンを得るべく、互いにリバーシブルに接続可能な、二つ以上の相互交換可能なコンポーネントを有するモジュラー衣服を提供する。【解決手段】モジュラー衣服は、第一面Ａ１、Ａ２と第一面Ａ１、Ａ２の反対側の第二面Ｂ１、Ｂ２とを備える二つの主コンポーネント１、２、および、これら主コンポーネント１、２に関連付けられた接続手段４、を備え、両主コンポーネント１、２はリバーシブルであって、第一面Ａ１、Ａ２と第二面Ｂ１、Ｂ２とが衣服のフロント側であって、各バージョンが二つの主コンポーネント１、２のうちの一方の第一面Ａ１、Ａ２または第二面Ｂ１、Ｂ２と、他方の第一面Ａ１、Ａ２または第二面Ｂ１、Ｂ２と、の組み合わせによって規定される。【選択図】図１
0003216787.tif 000002
【実用新案登録請求の範囲】
【請求項１】
モジュラー衣服であって、
そのそれぞれが第一面（Ａ１、Ａ２）と、当該第一面（Ａ１、Ａ２）の反対側の面である第二面（Ｂ１，Ｂ２）と、を備える二つの相互交換可能な主コンポーネント（１、２）、および、
前記二つの主コンポーネント（１、２）同士を互いにリバーシブルに接続するためにこれら主コンポーネント（１、２）に関連付けられた接続手段（４）、を備え、
前記二つの主コンポーネント（１、２）は、前記モジュラー衣服の異なる複数のバージョンを実現するべくリバーシブルであって、そのそれぞれの前記第一面（Ａ１、Ａ２）と前記第二面（Ｂ１、Ｂ２）とが前記モジュラー衣服のフロント側であって、各バージョンが前記二つの主コンポーネント（１、２）のうちの一方の前記第一面（Ａ１、Ａ２）または前記第二面（Ｂ１、Ｂ２）と、前記二つの主コンポーネント（２、１）の他方の前記第一面（Ａ１、Ａ２）または前記第二面（Ｂ１、Ｂ２）と、のそれぞれの組み合わせによって規定されることを特徴とするモジュラー衣服。
【請求項２】
前記二つの主コンポーネント（１、２）の前記第一面（Ａ１、Ａ２）と前記第二面（Ｂ１、Ｂ２）とは、それぞれの異なるデザイン、色、テクスチャ、パターン、プリント、を有する請求項１に記載のモジュラー衣服。
【請求項３】
前記二つの主コンポーネント（１、２）は、それぞれ異なる前記第一面と前記第二面とを備える複数の主コンポーネント（１、２）から選択され、
前記二つの主コンポーネント（１、２）の組み合わせによって得ることのできる前記モジュラー衣服のバージョンの数（Ｖ）は、数式Ｖ＝Ｎ（Ｎ−１）で与えられ、
ここで、Ｎは前記複数の主コンポーネント（１，２）の総数である請求項１または２に記載のモジュラー衣服。
【請求項４】
前記接続手段（４）は、ジッパーおよび面ファスナーの少なくとも一方を含み、かつ、
前記二つの主コンポーネント（１、２）のうちの第一主コンポーネント（１）に関連付けられた第一部材（４１）、および、前記二つの主コンポーネント（１、２）のうちの第二主コンポーネント（２）に関連付けられた第二部材（４２）、を有し、
前記第一部材（４１）と前記第二部材（４２）とは、互いに相互作用して前記第一主コンポーネント（１）と前記第二主コンポーネント（２）とをリバーシブルに接続するように構成されている請求項１〜３のいずれか１項に記載のモジュラー衣服。
【請求項５】
前記第一部材（４１）と前記第二部材（４２）とは、単数または複数のフック部材（４３）を有し、前記第一部材（４１）の前記フック部材（４３）は、前記第二部材（４２）の前記フック部材（４３）にリバーシブルに係合するように構成されている請求項４に記載のモジュラー衣服。
【請求項６】
前記接続手段（４）は、グラフィックサインを含むように構成された領域（４４）を有する請求項４または５に記載のモジュラー衣服。
【請求項７】
前記接続手段は、ボタンとボタンホール、スナップボタン、および、マグネットボタン、からなる群から選択される請求項１〜３のいずれか１項に記載のモジュラー衣服。
【請求項８】
前記モジュラー衣服の閉じ構成において前記二つの主コンポーネント（１、２）をリバーシブルに接合する閉じ手段（５）を有する請求項１〜７のいずれか１項に記載のモジュラー衣服。
【請求項９】
前記接続手段（４）と異なる他の接続手段を介して前記二つの主コンポーネント（１、２）の少なくとも一方に接続されるように構成された少なくとも一つの副コンポーネントを有する請求項１〜８のいずれか１項に記載のモジュラー衣服。
【請求項１０】
前記少なくとも一つの副コンポーネントは、第一面と、前記副コンポーネントの前記第一面の反対側の面である第二面と、を備え、前記第一面と前記第二面とは、それぞれ異なるデザイン、色、テクスチャ、パターン、プリント、を有する請求項９に記載のモジュラー衣服。
【請求項１１】
別の主コンポーネント（１、２）に関連付けられたときに、請求項１〜１０のいずれか１項に記載のモジュラー衣服を構成するべく、第一面（Ａ１、Ａ２）と、当該第一面（Ａ１、Ａ２）の反対側の面である第二面（Ｂ１、Ｂ２）と、を備える相互交換可能な主コンポーネント（１、２）。
【考案の詳細な説明】
【技術分野】
【０００１】
本考案は、互いにリバーシブルに接続可能な二つ以上のコンポーネントを有するモジュラー衣服または衣服アイテムに関する。特に、本考案は、たとえば、スウェットシャツ、チョッキ、シャツ、ズボン、ジャケット、ヘビージャケット、などの衣服であって、互いにリバーシブルに接続可能である少なくとも二つの相互交換可能なコンポーネントを有し、同じ衣服から完全に異なる多様なバリエーションを得ることができる衣服に関する。
【背景技術】
【０００２】
モジュラー衣服としていくつかのタイプが知られており、市場に広く行きわたっているが、これらは一般に、その衣服の最も大きな表面部分を占める不変の本体部と、それを着る人の必要性または趣味に応じて本体部に対して取り付け／取り外し可能な複数の副コンポーネントと、を有する。より詳しくは、副コンポーネントの取り付けおよび取り外しを可能にするために、これら副コンポーネントと本体部は、たとえば、ボタンとボタンホール、ジッパー、面ファスナー、スナップボタン、マグネットボタン、などの接続手段を備えている。
【０００３】
公知のモジュラー衣服には、たとえば、脚部分に設けられた端部を取り外してショートパンツを得ることができるズボン、袖部分の全体または端部を取り外してノースリーブシャツまたはＴシャツを得ることができるシャツ、および、襟部分からフードを取り外すことができるジャケット、がある。このようなモジュラー衣服を着用するユーザは、たとえば、気温が上昇するときは、ズボンの脚部分および／またはシャツの袖部分に設けられた端部を取り外すことができ、反対に、気温が低下するときは、ズボンの脚部分および／またはシャツの袖部分に端部を取り付けることができる。また、風や雨があるときはジャケットの襟部分にフードを取り付けることができ、反対に、風や雨が止んだときは襟部分からフードを取り外すことができる。それによって、同じモジュラー衣服を異なる環境で使用することが可能となる。
【０００４】
公知のタイプのモジュラー衣服は、一般に、それらの元の副コンポーネントに替えて別の副コンポーネントを本体に取り付けることはできない。いずれにせよ、たとえ副コンポーネントを交換したとしても、不変の本体部は変わらずそのままであるので、同じ衣服の部分的に異なるバージョンが得られるにすぎない。後者の美観は事実上本体部に左右される。これは、既に述べたように、本体部がその衣服の最も大きな表面部分を占めるためである。
【０００５】
さらに、本体部および／または副コンポーネントの外側または外側部分が回復できないほどのダメージを受けた場合、たとえば、不適切なアイロンがけによって表面が焦げたり、光源に対する長期の過剰な露出によってその色が不均一になったり、パッドや内側層を有する多層構造において外側層が裂けて内側層を露出させたりすると、そのダメージを受けた本体部および／またはダメージを受けた副コンポーネントはもはや着用することができなくなり、その結果、大半のケースにおいて美観を損なうパッチや修繕によって（可能な場合に）修復ができない限り材料の無駄が生じることになる。
【考案の概要】
【考案が解決しようとする課題】
【０００６】
本考案の課題は、上述したような欠点が無く、かつ同時に、その実現が容易簡便であるモジュラー衣服を提供することにある。
【０００７】
もう一つの課題は、互いにリバーシブルに接続してモジュラー衣服自体を構成することができる二つ以上のコンポーネントを有するモジュラー衣服であって、かつ、その同じ衣服の実質的に異なるバージョンを得るべく、当該衣服の美観が、当該衣服を構成する二つ以上のコンポーネントに実質的に同等に依存するモジュラー衣服を提供することにある。
【０００８】
さらに別の課題は、公知のモジュラー衣服によって通常得られるよりも大きく異なる同じ衣服のバージョンを得るべく、互いにリバーシブルに接続可能な、二つ以上の相互交換可能なコンポーネントを有する衣服を実現することにある。
【課題を解決するための手段】
【０００９】
本考案によれば、これらとその他の課題および利点は、添付の実用新案登録請求の範囲に記載したモジュラー衣服から得られる。
【００１０】
したがって本考案は、例示的で非限定的な実施形態を表す添付の図面を参照することによってより良く理解、実施できるであろう。
【図面の簡単な説明】
【００１１】
【図１】本考案による衣服の第一の実施形態について、組み付けられて閉じられた構成で示す略前面図。
【図２】図１の衣服の略背面図。
【図３】図１の衣服について、明瞭性のためのそのいくつかの詳細を省略した略拡大詳細図。
【図４】図１の衣服について、その組み付けられた開放構成で示す略前面図。
【図５】図１の衣服について、その組み付けを解除した構成で示す略前面図。
【図６】図５の衣服の略背面図。
【考案を実施するための形態】
【００１２】
本考案は、二つの相互交換可能な主コンポーネントを有するモジュラー衣服または衣服アイテムに関する。詳しくは、図１は、一つの第一主コンポーネント１と、一つの第二主コンポーネント２と、を有する本考案の第一の実施形態によるヘビージャケットを図示している。
【００１３】
本実施形態に係るヘビージャケットの第一主コンポーネント１は、第一面Ａ１と、当該第一面Ａ１の反対側の面である第二面Ｂ１と、を備えている。同様に、第二主コンポーネント２は、第一面Ａ２と、当該第一面Ａ２の反対側の面である第二面Ｂ２と、を備えている。各第一面Ａ１、Ａ２および各第二面Ｂ１、Ｂ２は、いずれも、いわゆる「フロント」側、すなわち、ヘビージャケットの外側部分を構成するのに適したものであるため、二つの主コンポーネント１、２は互いに裏返し可能（ｏｖｅｒｔｕｒｎａｂｌｅ）またはリバーシブルである。それにより、そのそれぞれのバージョンが、第一主コンポーネント１の第一面Ａ１および第二面Ｂ１から選ばれる一つ、ならびに、第二主コンポーネント２の第一面Ａ２および第二面Ｂ２から選ばれる一つ、の組み合わせによって規定されるヘビージャケットの異なるバージョンを実現することが可能である。
【００１４】
主コンポーネント１、２は、防水性生地、工業的生地、反射性生地、などとして実施することができる。さらに、第一主コンポーネント１の第一面Ａ１および第二面Ｂ１、ならびに、第二主コンポーネント２の第一面Ａ２および第二面Ｂ２は、類似するデザイン、色、テクスチャ、パターン、プリント、を有するものとすることができ、または、それぞれが異なるデザイン、色、テクスチャ、パターン、プリント、を有するものとすることも可能である。
【００１５】
ユーザが着用するヘビージャケットとしての実施形態（図１〜６）を参照すると、第一主コンポーネント１はジャケットの右側部分であり、右側正面部分１５、右側スリーブ１６、フード右側半分１７、および、右側背面部分１８（これは図２に示されている）を有し、第二主コンポーネント２はジャケットの左側部分であり、左側正面部分２５、左側スリーブ２６、フード左側半分２７、および、左側背面部分２８（これも図２に示されている）を有している。他の実施形態においては、ヘビージャケットの右側部分および左側部分は、それぞれフード右側半分１７およびフード左側半分２７を、それぞれ備えない。
【００１６】
本実施形態に係るヘビージャケットは、さらに、両主コンポーネント１、２に関連付けられた接続手段４を有し、これらは、たとえば、閉じ部材（ｃｌｏｓｕｒｅｓ）またはジッパー、面ファスナー（ベルクロ（登録商標）としても知られている）、すなわち、ボタンとボタンホール、スナップボタン、マグネットボタン、を含む。
【００１７】
ジッパーまたは面ファスナーである接続手段４は、それぞれ、第一主コンポーネント１と第二主コンポーネント２とに関連付けられて、互いに相互作用してこれらを安全かつリバーシブルに接続するように構成された、第一部材４１と第二部材４２とを有する。さらに詳しくは、第一部材４１および第二部材４２は、単数または複数のフック部材４３を有し、第一部材４１のフック部材４３は第二部材４２のフック部材４３に、および、その反対の組み合わせで、リバーシブルに係合するように構成されている。さらに、第一部材４１および第二部材４２は、好ましくは、たとえば、ロゴ、画像、言葉、スローガン、などの図柄を含むように構成された領域４４を有する。
【００１８】
図１〜６の実施形態に言及して、本実施形態に係るヘビージャケットの右側背面部分１８と左側背面部分２８とは、それぞれ、接続手段４（特にジッパー）の第一部材４１と第二部材４２とに、それぞれ関連付けられている。ジッパー４の第一部材４１は、図３に図示されているように、そのジッパー４の第二部材４２の歯４３にリバーシブルに係合するように構成された金属またはプラスチックの歯４３を備えている。
【００１９】
本実施形態に係るヘビージャケットは、さらに、たとえば、当該ヘビージャケットの閉じられた構成において、第一主コンポーネント１の右側正面部分１５と第二主コンポーネント２の左側正面部分２５とをリバーシブルに接続するために、追加のジッパーまたは閉じ部材、面ファスナー、ボタンおよびボタンホール、スナップボタン、マグネットボタン、を含む閉じ手段５を備えることができる。
【００２０】
第一部材４１および第二部材４２の歯４３が互いに係合すると、ジッパー４が閉じられる。そして、右側正面部分１５と左側正面部分２５とが閉じ手段５を介して接続されると、ヘビージャケットはその組み付け閉じ構成となり（図１、図２）、反対に、右側正面部分１５と左側正面部分２５とが閉じ手段５を介して接続されない場合には、ヘビージャケットはその組み付け開放構成となり（図４）になり、この場合、ユーザによる着用がさらに簡単になる。右側正面部分１５と左側正面部分２５とが閉じ手段５を介して接続されず、ジッパー４の第一部材４１および第二部材４２が互いに相互作用しない、すなわち、後者が完全に開放されると、ヘビージャケットは組み付け解除構成（図５、図６）となり、ここでは右側の第一主コンポーネント１と左側の第二主コンポーネント２とが接続されず、互いから独立する。
【００２１】
好ましくは、第一主コンポーネント１の第一面Ａ１または第二面Ｂ１、もしくは、第二主コンポーネント２の第一面Ａ２または第二面Ｂ２が、回復できないほどのダメージを受けた場合、ヘビージャケットの他方の部分は、各反対側面Ｂ１、Ａ１、Ｂ２、Ａ２によって構成することができる。たとえば、ヘビージャケットの外側部分が第一主コンポーネント１の第一面Ａ１と、第二主コンポーネント２の第一面Ａ２と、から構成され、これらの両第一面Ａ１、Ａ２のいずれかがダメージを受けた場合、上述したいずれの構成（閉じ、開放、組み付け解除）のいずれにおいても、ヘビージャケットの第一主コンポーネント１および第二主コンポーネント２を裏返して、ヘビージャケットの他方の部分を第一主コンポーネント１の第二面Ｂ１と第二主コンポーネント２の第二面Ｂ２とによって構成するようにできる。
【００２２】
上述した面Ａ１，Ｂ１、Ａ２、Ｂ２が同じデザイン、色、テクスチャ、パターン、プリント、を有する場合、その美観を損なうことなく、元のジャケットに類似のヘビージャケットのバージョンが得られる。第一主コンポーネント１の第一面Ａ１と第二主コンポーネント２の第二面Ｂ２とが同じデザイン、色、テクスチャ、パターン、プリント、を有する場合、さらに、第二主コンポーネント２の第一面Ａ２と第一主コンポーネント１の第二面Ｂ２とでも同じ結果が得られる。反対に、上述した面Ａ１、Ｂ１、Ａ２、Ｂ２がそれぞれの異なるデザイン、色、テクスチャ、パターン、プリント、を有する場合には、元のヘビージャケットと比較して、大きく異なるバージョンのヘビージャケットが得られる。
【００２３】
さらに、本実施形態に係るヘビージャケットの組み付け解除構成において、第一主コンポーネント１と第二主コンポーネント２とは互いに独立しているので、ユーザは、これら第一主コンポーネント１または第二主コンポーネント２を、異なるデザイン、色、テクスチャ、パターン、プリントを有する新たな主コンポーネントによって置き換えて同じヘビージャケットの大きく異なるバージョンを得ることができる。二つの主コンポーネント１、２は、同じヘビージャケットの多様な大きく異なるＶ種のバージョンを得るために、複数の主コンポーネントから選択される。さらに詳しくは、もしもＮが上述した複数の主コンポーネントの数であるとするならば、これらＮ点の主コンポーネントのうちの二つを組み合わせることによって得られる衣服のバージョンの数Ｖは、数式：Ｖ＝Ｎ・（Ｎ−１）、によって得られる。
【００２４】
なお、本考案によるモジュラー衣服または衣服アイテムは、本考案の保護範囲から逸脱することなく、上述したヘビージャケットの他に、スウェットシャツ、シャツ、ズボン、ジャケット、などの他の衣服にも同様に適用可能であることが銘記される。
【００２５】
図示されない他の実施形態において、衣服は、さらに、別の接続手段を介して主コンポーネント１、２の単数または複数に接続されるように構成された少なくとも一つの副コンポーネントを備えることができる。この少なくとも一つの副コンポーネントも、それぞれの第一面と、副コンポーネントの第一面の反対側の第二面とを備える。好ましくは、少なくとも一つの副コンポーネントの第一面および第二面は、衣服の外側部分を構成するべく同等に構成され、防水性生地、工業的生地、反射性生地、などとして実施することができる。それにより、副コンポーネントもリバーシブルとなる。さらに、少なくとも一つの副コンポーネントの第一面および第二面は、一つの類似のデザイン、色、テクスチャ、パターン、プリント、を備えたものとすることができ、または、それぞれ異なるデザイン、色、テクスチャ、パターン、プリント、を備えたものとすることも可能である。
【００２６】
上述した副コンポーネントには、たとえば、上述した様々な実施形態で記載したフードの他に、襟、ジャケットの袖部分および／またはズボンの脚部分を長くするための筒状部材、手袋、ゲートル、が含まれる。
【００２７】
以上から明らかなように、本考案よる衣服は、美観を犠牲にすることなく、また、そのコンポーネントの単数または複数が直接ダメージを受けた場合にも着用することができるという利点を有する。
【図１】
0003216787.tif 000003
【図２】
0003216787.tif 000004
【図３】
0003216787.tif 000005
【図４】
0003216787.tif 000006
【図５】
0003216787.tif 000007
【図６】
0003216787.tif 000008